(57)【要約】【課題】正しい歩行を促し骨関節のアライメントを最適にする姿勢ガイド移動装置を提供する。【解決手段】  頭上に広げた腕を移動式バーで支持しながら前記、移動式バーが走るためのガイドレールに従って歩行し、前記、移動式バー取り付け部分が方向転換可能に回転することで、ガイドレール真下を腕が吊り上げた状態で往復歩行させ、骨関節の正しい動きを導きアライメントを改善できる。【選択図】図１
2012081225.tif 000002
【特許請求の範囲】
【請求項１】
鉛直真上方向に広げた腕を頭上に設けたバーで支えることで腕を支持し、前記、バーは歩行に伴ってガイドレールを移動し、腕を体の中心線に支えた状態で、前記、ガイドレール真下を歩行することで癖をリセットし、骨関節のアライメントを改善することを特徴とする姿勢ガイド移動装置
【請求項２】
前記、バー取り付け部を容易に着脱可能な形状とし、つま先立ちで、前記、バーをＶ字状に頭上に持ち上げ、前記、バー取り付け部に左右均等にひっかけ歩行することで、つま先立ちとフラット状態での姿勢の高さの違いによって歩行時、腕が吊りあげられ背筋が伸ばされることを特徴とした姿勢ガイド移動装置。
【請求項３】
前記、バー取り付け部に方向転換するための方向転換回転軸を設け、前記ガイドレールラインを往復歩行できることを特徴とした姿勢ガイド移動装置。
【請求項４】
前記、バー取り付け部に腕回転軸を設け、前記、腕回転軸両端にクランクハンドルを対向して取り付け、腕を回しながらガイドレールラインに従って歩行することで体全体の骨関節のアライメントを調整できることを特徴とした姿勢ガイド移動装置
【請求項５】
複数の人が乗ることのできる乗り物台座に腕で回す、前記、腕回転軸と脚で回転させる脚回転軸をチェーンやベルトでリンクし、前記、腕回転軸と、前記、脚回転軸で姿勢を支持することで、鉛直方向に最適に立つ姿勢で脚と手で車輪を回転させ、骨関節のアライメントを自走しながら調整できることを特徴とした姿勢ガイド移動装置
【発明の詳細な説明】
【技術分野】
【０００１】  本発明は、腕の位置を頭上真上に設置した移動可能なバーで支持しながら姿勢をガイドして歩行することで、関節のアライメントを最適に改善できる姿勢ガイド移動装置に関する。
【背景技術】
【０００２】  近年、生活慣習上姿勢のバランスが乱れ、足圧分布が偏ることに起因する関節等の痛みを訴える患者が多いとされている。特に、膝関節症の患者数は１０００万人を超え多額の医療費の財源が費やされている。
【発明の開示】
【発明が解決しようとする課題】
【０００３】  足圧分布が偏り関節のアライメントが不適切となることによって、一部の関節に負荷が集中し連動する筋肉等に影響を与える結果、運動能力の低下や健康を阻害する恐れが生ずる。
本発明は、姿勢のバランスを乱す一因となる腕の位置を頭上真上に設置した移動可能なバーで支持しながら姿勢をガイドして歩行することで、関節のアライメントを正しく修正し身体機能を向上させる姿勢ガイド移動装置を提供することを課題としている。
【課題を解決するための手段】
【０００４】  本発明の姿勢ガイド移動装置は、腕をＶ字状態に頭上真上鉛直方向に広げつま先立ちでバーを握りバー支持金具に固定することにより、通常の歩行時姿勢の高さとつま先立ち姿勢の高さの差が保持される結果、両腕が吊られた状態となって背筋が伸ばされ、この状態での最適な姿勢を保ちながら歩行できることを特徴とする。
また、本発明の別の構成は、左右交互に腕が回転できるように、移動装置に方向転換回転軸を取り付け、クランク状のハンドルで腕を回転させながら歩くことにより、背骨、肩甲骨など上肢の動きが悪い部分の動きを良くすることで関節のアライメント全体を改善できることを特徴とする。
さらに、本発明の別の構成は、腕の回転と足の回転を伝えるための腕回転軸と脚回転軸を鉛直方向に配置しチェーンやベルトなどで前記腕回転軸と前記脚回転軸回転軸をリンクすることにより、脚と腕の回転に伴う上下運動で関節のアライメントを容易に調整できることを特徴とする。
【発明の効果】
【０００５】  本発明は、頭上真上鉛直方向のバーで腕を支持し吊り上げた状態で歩行することで関節のアライメントを正しく修正して特定個所への負荷集中に起因する症候群などをバランスよく抑制し、身体が正しく鍛えられることで運動パフォーマンスを飛躍的に高めることができる。
【発明を実施するための最良の形態】
【０００６】  以下、図面を参照して本発明の最良の形態について説明する。しかしながら、かかる実施例が本発明の技術的範囲を限定するものではない。【０００７】  図１は本発明の第一の実施形態による上面図であり、ガイドレール１とバー２と梁支柱３と移動装置４で構成している。【０００８】  ガイドレール１は必ずしも梁支柱に取り付ける必要はなく、例えば直接的に建築物に取り付けることができる。【０００９】  図２は本発明の第一の実施形態による要部側断面図であり、使用方法としてつま先立ちでバー２をＶ字状に頭上に上げてバー支持金具５に支持させ、歩行時の姿勢の高さの差によって腕が吊られた状態になるためバー支持金具５に大きな負荷がかかるために構造的に強い部材で構成する。【００１０】  方向転換回転軸６は進行方向を転換し往復歩行するための回転軸でガイドローラー７はバー支持金具５が移動装置４の中心で安定した支持ができるように少なくとも２つ以上取り付けてガイドレール１を走らせる。【００１１】  図３は本発明の第二の実施形態による要部側断面図であり、ガイドレール１と方向変換回転軸６とガイドローラー７で腕回転軸８に腕を回しながら歩行するためのクランクハンドル９を装着した図を示している。【００１２】  図４は本発明の第二の実施形態による側断面図であり、梁支柱３とガイドレール１とクランクハンドル９を示し、図５は体の中心でクランクハンドル９を回転させながら歩行することで骨関節のアライメントを改善している状態を示している。【００１３】  この場合、ハンドルの上下運動に合わせて脚も上下に回転させることで体全体の関節が大きく動くようになり、特に背中の丸まった猫背の改善運動に効果がある。【００１４】  図６は乗り物台座２０と前輪１０と後輪１１と足踏みペダル１２とクランクハンドル９と操作ハンドル１３と乗り物台座上部構造体１５と第一のリンク部１６と第２のリンク部１７と第３のリンク部１８とクランクハンドル高さ調節部（ａ）１９とクランクハンドル高さ調節部（ｂ）２０と足置きステップ２１と乗り物椅子２２を示した図である。【００１５】  クランクハンドル９と足踏みペダル１２の高さ距離において利用者の身長に対応するためにクランクハンドル高さ調節（ａ）１９とクランクハンドル高さ調節（ｂ）２０で鉛直方向にまっすぐになるように高さを調節する。【００１６】  クランクハンドル９と足踏みペダル１２は複数でクランクハンドル９と足踏みペダル１２をリンクして前輪１０と後輪１１を走らせることもできる。【００１７】  また、必ずしも脚と腕の回転をリンクして前輪１０と後輪１１を走らせる必要はなく、固定した台座の鉛直方向で脚と腕の回転をリンクし使用することができる。【００１８】  図７は本発明の第四の実施形態による正面図であり、上下に可動させる構造体の蛇腹アーム台座１１０と蛇腹アーム１１１とバー支持台座１１２とバー支持継ぎ手１１８と全ネジ回転シャフト１２３を示しており、ガイドレール１をガイドローラー２がガイドローラー連結金具１０４で連結されて水平に移動する。【００１９】  蛇腹作動部Ｘの機構は全ネジ回転シャフト１２３が左右に回転するこで上下する。【００２０】  モーター１５６が左、右と回転すると自在継ぎ手１２４が回転のブレを吸収し全ネジ回転シャフト１２３を回転させ蛇腹アーム軸受ネジ部１２１と蛇腹アーム軸受ピン１２０の作用によって、蛇腹アームが左右対称に水平に移動し高さが上下する。【００２１】  蛇腹アーム軸受ガイド１２２は全ネジ回転シャフト１２３のネジが切られていない部分をガイドしている。【００２２】  モーター台座１１５は蛇腹アーム軸受ピン１２０（ａ，ｂ，ｃ，ｄ）に可動可能に連結されてモーター台座ガイド１２６に史視されて肩持ちバランスを制御している。【００２３】  パンタグラフ１５０は接触通電版１５１に振れると上下切り替えスイッチ１５２の上下回路によりモーター１５６に通電する。【００２４】  中心センサー１５５は身体の歪みの度合いを傾き角度で計測する感知器具であり、例えば錘で簡単に角度の傾きを計測することもできるが、デジタルで記録できるようにした方が好ましい。【００２５】  また、中心センサー１５５の別な用途として、中心センサー１５５が頭頂部真上に位置することが最適な姿勢であり、その位置を認知させるために、例えば、赤外線、あるいはエアを中心から噴出させ直接的に頭頂部を刺激し認知させることもできる。【００２６】  また、中心センサー１５５の位置はガイドローラーの鉛直下方に向かう重力の中心に位置させる。【００２７】  パンタグラフ１５０は接触通電版１５１に触れるとモーターに通電し、バーを支持したまま軽く触れただけで正確に微調整することができる。【００２８】  バラスト１２８は左右対称に装置の重さのバランスを調整するものであり、姿勢バランスをガイドする要素として重要である。【００２９】  図８は本発明の第五の実施形態による側面図であり、バー支持台座１１２にバー支持継ぎ手１１３と補助バー１１８と蛇腹アーム台座１１０を示している。【００３０】  バー支持継ぎ手１１３（ａ，ｂ，ｃ，）は蛇腹アーム台座１１０とバー支持台座１１２が連動して上下することにより、バー支持継ぎ手１１３（ａ，ｂ，ｃ，）の取り付け位置の差によって作動量を大きくすることができる。【００３１】  補助バー１１８は腕をＶの字に伸ばし、開いた両手で握れる長さ分必要である。
図９は本発明の第五の実施形態による作動時の側面図であり、全ネジ回転シャフト１２３の先端まで蛇腹アーム１１１が水平に移動し最小の高さになった状態を示している。【００３２】  図１０は本発明の第六の実施形態による側面図である。【００３３】  蛇腹鉛直高さ調整装置２１０ａと骨盤の角度を調整するための横幅を調節する蛇腹横幅調整装置２１０ｂと腰の高さに合わせるための腰高調節部２１５とモーター２３０でベルト２５０とベルト回転軸２５５を回して、一定箇所で歩行させるための装置で構成している。【００３４】  蛇腹鉛直高さ調整装置２１０ａと蛇腹横幅調整装置２１０ｂの高さ及び輻を作動させるための機構は蛇腹作動部Ｘと同じ或いは同等の性能を有するもので良い。【００３５】  モーター２３０でベルト２５０を回して歩行させる速度は時速３キロ未満が望ましく、スローステップウォーキングの効果で有効に遅筋を働かせ、姿勢維持筋肉群の強化を計ることが出来る。【００３６】  ガイドローラー連結金具ａ，ｂと装置躯体構造体２００はボルトなどで固定する。
【図面の簡単な説明】
【００３７】
【図１】本発明の第一の実施の形態例における姿勢ガイド移動装置の上面図である。
【図２】本発明の第一の実施の形態における姿勢ガイド移動装置の要部側断面図である。
【図３】本発明の第二の実施の形態例における姿勢ガイド移動装置の要部側断面図である。
【図４】本発明の第二の実施の形態例における姿勢ガイド移動装置の側断面図である。
【図５】本発明の第二の実施の形態例における姿勢ガイド移動装置の使用時の側断面図である。
【図６】本発明の第三の実施の形態例における姿勢ガイド移動装置の側断面図である。
【図７】本発明の第四の実施の形態における姿勢ガイド移動装置の正面図である。
【図８】本発明の第五の実施の形態例における姿勢ガイド移動装置の側面図である。
【図９】本発明の第五の実施の形態例における姿勢ガイド移動装置の作動時の側面図である。
【図１０】本発明の第六の実施形態による側面図である。
【符号の説明】
【００３８】    １：ガイドレール、２：バー、３：梁支柱、４：移動装置、５：バー支持金具、６：方向転換回転軸、７：ガイドローラー、８：腕回転軸、９：クランクハンドル、１０：前輪、１１：後輪、１２：足踏みペダル、１３：操作ハンドル、１５：乗り物台座上部構造体、１６：第一のリンク部、１７：第２のリンク部、１８：第３のリンク部、１９：クランクハンドル高さ調節部（ａ）、２０：クランクハンドル高さ調節部（ｂ）、２１：乗り物椅子、２２：足置きステップ、２３：足回転軸、１０４（ａ，ｂ）：ガイドローラー連結金具、１１０：蛇腹アーム台座、１１１：蛇腹アーム、１１２：バー支持台座、１１３（ａ，ｂ，ｃ）：バー支持継ぎ手、１１５：モーター台座、１１８：補助バー、１２０（ａ，ｂ，ｃ，ｄ）：蛇腹アーム軸受ピン１２１：蛇腹アーム軸受ネジ部、１２２：蛇腹アーム軸受ガイド、１２３：全ネジ回転シャフト、１２４：自在継ぎ手、１２６：モーター台座ガイド、１２８：バラスト、１５０：パンタグラフ、１５１：接触通電版、１５２：上下切り替えスイッチ、１５５：中心センサー、１５６：モーター、１５７：ベルト、１５８：回転ローラー、１６０：腰当、２００：装置躯体構造体、２１０ａ：蛇腹鉛直高さ調整装置、２１０ｂ：蛇腹横幅調整装置、２１５：腰高調節部、２３０：モーター、２５０：ベルト、２５５：ベルト回転軸、Ｘ：蛇腹作動部。
【図１】
2012081225.tif 000003
【図２】
2012081225.tif 000004
【図３】
2012081225.tif 000005
【図４】
2012081225.tif 000006
【図５】
2012081225.tif 000007
【図６】
2012081225.tif 000008
【図７】
2012081225.tif 000009
【図８】
2012081225.tif 000010
【図９】
2012081225.tif 000011
【図１０】
2012081225.tif 000012